(57)【特許請求の範囲】
【請求項１】
一方の面に発光素子が支持された基板と、
前記発光素子の光軸方向の一端側に配置され、前記基板の他方の面を支持するベース部材と、
前記光軸方向の他端側に配置され、凹形状を形成し、前記凹形状の開口端が前記ベース部材と連結される透光性を有するグローブと、
前記グローブの内部空間に配置され、前記発光素子から照射される光を前記グローブの内周側面に向けて反射する反射部材と、
前記反射部材の前記光軸方向における前記ベース部材側の端部から前記グローブの前記内周側面に向けて延び、前記グローブの前記内周側面に対向する外側縁を有し、前記反射部材を支持する支持部材と、
前記支持部材の前記外側縁を前記グローブの前記内周側面に配置された支持部に連結する連結機構と、を備え、
前記連結機構が、前記支持部材の前記外側縁及び前記グローブの前記支持部の何れか一方から他方に向けて延設された弾性爪と、前記支持部材の前記外側縁及び前記グローブの前記支持部の前記他方に設けられ前記弾性爪の延設端部を係止する係止部と、を含む、表示灯。
【請求項２】
前記支持部が、前記外側縁よりも前記光軸方向における前記ベース部材側に配置されている、請求項１に記載の表示灯。
【請求項３】
前記弾性爪が、前記延設端部と、前記延設端部とは反対側に配置された基端部と、前記延設端部と前記基端部とを接続し前記光軸方向に対して傾斜した傾斜部と、を含む、請求項１又は２に記載の表示灯。
【請求項４】
前記グローブの前記内周側面が、前記反射部材からの光を拡散させるレンズカット部を含み、
前記支持部が、前記レンズカット部よりも前記光軸方向における前記ベース部材側に配置されている、請求項１〜３の何れか一項に記載の表示灯。
【請求項５】
前記支持部材が、前記発光素子から照射される光の発散を抑制する集光要素を含み、
前記反射部材が、前記光軸方向に対して平行な中心軸を有し前記支持部材側に向かって縮径された先細り筒状の導光部材であり、
前記導光部材が、前記発光素子に対して前記集光要素を介して対向する複数の光入射面と、前記グローブの前記内周側面に対して対向する複数の光出射面と、前記光入射面から入射された光を前記光出射面に向けて全反射する内部反射面と、を含み、
前記光入射面と前記光出射面とが、前記導光部材の外周面に前記光軸方向に交互に階段状に配置され、
前記内部反射面が、前記導光部材の内周面の背面を構成しており、
前記導光部材と前記支持部材と前記弾性爪とが、単一の材料で一体に形成されている、請求項１〜４の何れか一項に記載の表示灯。
【発明の詳細な説明】
【技術分野】
【０００１】
本発明は、機械設備、看板灯に用いられる表示灯に関する。
【背景技術】
【０００２】
表示灯は、たとえば、生産装置のような機械装置の稼働状態を光によってその周囲に向けて報知するために用いられる。このような表示灯の一例は、特許文献１に開示されている。特許文献１では、上側の半球状のバルブ（グローブ）が、下側のヒートシンクに支持された光生成ユニットを覆うようにして、前記ヒートシンクに固定されている。前記光生成ユニットに含まれる照明領域から照射された光が、リフレクタによって反射されて、バルブの内周側面に向けて照射される。
【先行技術文献】
【特許文献】
【０００３】
【特許文献１】米国特許出願公開第２０１３／０２３５５８２Ａ１号明細書
【発明の概要】
【発明が解決しようとする課題】
【０００４】
特許文献１のＦＩＧ．６では、リフレクタの上リムが、バルブの上部の内周側面から突出する係止凸部に対して、接着結合やスナップ作用等を用いて係止されている。【０００５】
このため、反射部材とバルブとを一体のユニットとして扱うことができて組立の作業性が向上するという利点がある。一方、係止凸部が照明領域からの光路の邪魔になり、十分な明るさの表示が行えないおそれがある。【０００６】
本発明の目的は、反射部材をグローブに取り付ける構造が光路の邪魔をすることを抑制、明るい表示を行うことができる表示灯を提供することである。
【課題を解決するための手段】
【０００７】
本発明は、一方の面に発光素子が支持された基板と、前記発光素子の光軸方向の一端側に配置され、前記基板の他方の面を支持するベース部材と、前記光軸方向の他端側に配置され、凹形状を形成し、前記凹形状の開口端が前記ベース部材と連結される透光性を有するグローブと、前記グローブの内部空間に配置され、前記発光素子から照射される光を前記グローブの内周側面に向けて反射する反射部材と、前記反射部材の前記光軸方向における前記ベース部材側の端部から前記グローブの前記内周側面に向けて延び、前記グローブの前記内周側面に対向する外側縁を有し、前記反射部材を支持する支持部材と、前記支持部材の前記外側縁を前記グローブの前記内周側面に配置された支持部に連結する連結機構と、を備え、前記連結機構が、前記支持部材の前記外側縁及び前記グローブの前記支持部の何れか一方から他方に向けて延設された弾性爪と、前記支持部材の前記外側縁及び前記グローブの前記支持部の前記他方に設けられ前記弾性爪の延設端部を係止する係止部と、を含む、を含む。【０００８】
この構成では、弾性爪と該弾性爪が係止される係止部とを含む連結機構によって、支持部材を介して反射部材がグローブに取り付けられる。連結機構は、反射部材よりも光軸方向におけるベース部材側に配置される支持部材の外側縁を、グローブの内周側面に配置される支持部に連結する。このため、連結機構が、発光素子から反射部材を介してグローブの内周側面に至る光路の邪魔をすることを抑制することができる。このため、明るい表示を行うことができる。【０００９】
また、前記支持部が、前記外側縁よりも前記光軸方向における前記ベース部材側に配置されていてもよい。この構成では、連結機構が、発光素子から反射部材を介してグローブの内周側面に至る光路の邪魔をすることがない。このため、明るい表示を行うことができる。【００１０】
また、本発明の表示灯では、前記弾性爪が、前記延設端部と、前記延設端部とは反対側に配置された基端部と、前記延設端部と前記基端部とを接続し前記光軸方向に対して傾斜した傾斜部と、を含んでいてもよい。【００１１】
この構成では、弾性爪が、光軸方向に対する傾斜部の傾斜角度を変更するように弾性変形することにより、反射部材及び支持部材にかかる衝撃を緩和することができる。このため、反射部材を安定して支持することができる。【００１２】
また、本発明の表示灯では、前記グローブの前記内周側面が、前記反射部材からの光を拡散させるレンズカット部を含み、前記支持部が、前記レンズカット部よりも前記光軸方向における前記ベース部材側に配置されていてもよい。この構成では、透光性のグローブの内周側面の支持部が、グローブの外観の美観を損ねることがない。【００１３】
また、本発明の表示灯では、前記支持部材が、前記発光素子から照射される光の発散を抑制する集光要素を含み、前記反射部材が、前記光軸方向に対して平行な中心軸を有し前記支持部材側に向かって縮径された先細り筒状の導光部材であり、前記導光部材が、前記発光素子に対して前記集光要素を介して対向する複数の光入射面と、前記グローブの前記内周側面に対して対向する複数の光出射面と、前記光入射面から入射された光を前記光出射面に向けて全反射する内部反射面と、を含み、前記光入射面と前記光出射面とが、前記導光部材の外周面に前記光軸方向に交互に階段状に配置され、前記内部反射面が、前記導光部材の内周面の背面を構成しており、前記導光部材と前記支持部材と前記弾性爪とが、単一の材料で一体に形成されていてもよい。【００１４】
この構成では、発光素子からの光が、集光要素によって光の拡散を抑制された状態で、反射部材として機能する導光部材に集められる。このため、表示灯として発光素子からの光を有効に利用することができる。【００１５】
また、導光部材において光入射面と光出射面とが複数設けられて交互に階段状に配置される。このため、導光部材に単一の光入射面と単一の光出射面とが設けられる場合と比較して、導光部材の肉厚を薄くでき、且つ導光部材の部位の相違による肉厚差を少なくすることができる。このため、導光部材が、軽量化されて振動の影響を受け難くすることができ、また、導光部材の成形性を向上することができる。【００１６】
また、組立時において、ユニット化された前記導光部材と前記支持部材と前記弾性爪とが、グローブに一体に取り付けられる。取り付けに際して、弾性爪を弾性変形させることにより、弾性爪を係止部に容易に係止させることができ、組立性が向上する。
【図面の簡単な説明】
【００１７】
【図１】図１は、本発明の第１実施形態に係る表示灯の外観の斜視図である。
【図２】図２は、表示灯の分解斜視図である。
【図３】図３（ａ）は、表示灯の断面図であり、図３（ｂ）は連結機構の周辺の構造の断面図である。
【図４】図４は、基板の平面図である。
【図５】図５は、ベース部材の斜視図である。
【図６】図６（ａ）は、ベース部材の平面図であり、図６（ｂ）は、ベース部材の断面図である。
【図７】図７は、基板が取り付けられたベース部材の斜視図である。
【図８】図８（ａ）は、グローブの断面図であり、図８（ｂ）は、グローブの底面図である。
【図９】図９は、導光部材と支持部材と弾性爪とを含む第１ユニットの斜視図である。
【図１０】図１０（ａ）は、第１ユニットの平面図であり、図１０（ｂ）は、第１ユニットの断面図である。
【図１１】図１１は、グローブとグローブに取り付けられた第１ユニットとを含む第２ユニットの斜視断面図である。
【図１２】図１２は、弾性爪の要部の拡大斜視図である。
【図１３】図１３は、連結機構の周辺の構造の拡大斜視断面図であり、図１１の一部を拡大した図に相当する。
【図１４】図１４は、係止凹部の周辺の構造の概略図である。
【図１５】図１５（ａ）は、連結機構の周辺の構造の概略断面図であり、連結動作の途中の状態を示している。図１５（ｂ）は、連結機構の周辺の構造の概略断面図であり、連結機構の連結状態を示している。
【図１６】図１６は、本発明の第２実施形態において、連結機構の周辺の構造の断面図であり、連結機構の連結状態を示している。
【発明を実施するための形態】
【００１８】
以下には、図面を参照して、この発明の実施形態を具体的に説明する。
（第１実施形態）
図１は、本発明の第１実施形態に係る表示灯の側面図であり、図２は表示灯の分解斜視図であり、図３（ａ）は表示灯の断面図であり、図３（ｂ）は連結機構の周辺の構造の断面図である。
【００１９】
図１〜図３（ａ），（ｂ）を参照して、表示灯１は、ベース部材２と、透光性を有するグローブ３と、発光素子４が実装された基板５と、反射部材６を兼用する導光部材６０と、支持部材７と、連結機構８とを備える。
【００２０】
ベース部材２とグローブ３とが互いに組み合わされて中空の筐体Ｋを構成している。基板５と導光部材６０と支持部材７とが、筐体Ｋ内に収容されている。基板５は、ベース部材２に固定されている。ベース部材２は、発光素子４の光軸方向Ｌの一端側に配置され、グローブ３は、光軸方向Ｌの他端側に配置されている。
【００２１】
図２に示すように、導光部材６０と支持部材７と連結機構８の一部である弾性爪７０とが、単一の材料（透光性を有する樹脂材）で一体に形成された第１ユニットＵ１を構成している。
【００２２】
連結機構８は、支持部材７をグローブ３に連結することにより、導光部材６０をグローブ３に取り付けている（図１１を参照）。図３（ａ）に示すように、互いに取り付けられた第１ユニットＵ１とグローブ３とによって、第２ユニットＵ２が形成されている。第２ユニットＵ２は、ベース部材２に対して一体的に組み付け可能なサブアセンブリを構成している。
【００２３】
次いで、基板５を説明する。図４は、基板５の平面図である。
【００２４】
図２及び図４に示すように、基板５は、一方の面５ａと、他方の面５ｂと、周側面５ｃとを含む。基板５には、中心孔５１と、一対のねじ挿通孔５２と、一対の位置決め凹部５３と、一対の逃げ凹部５４，５５とが形成されている。
【００２５】
中心孔５１及び各ねじ挿通孔５２は、一方の面５ａと他方の面５ｂとを貫通する円孔である。各ねじ挿通孔５２には、当該基板５をベース部材２に取り付けるための取付ねじ１１（図７を参照）が挿通される。
【００２６】
基板５の一方の面５ａに、複数の発光素子４と、端子台９とが取り付けられている。複数の発光素子４は、基板５の中心孔５１の周囲を取り囲んで配置されている。具体的には、複数の発光素子４は、中心孔５１と同心の円の円周上に周方向に等間隔に配置されている。各発光素子４の光軸方向Ｌは、例えば基板５の一方の面５ａと直交する方向である。発光素子４は、チップ型ＬＥＤであってもよいし、砲弾型ＬＥＤであってもよい。
【００２７】
端子台９は、外部配線挿入孔９１が形成された端子台本体９２と、端子台本体９２によって支持された端子（図示せず）とを含む。前記端子は、基板５の中心孔５１を通して筐体Ｋ内に引き込まれて外部配線挿入孔９１に挿入された外部配線（図示せず）を接続する機能を果たす。
【００２８】
一対の位置決め凹部５３は、周側面５ｃに形成されており、例えば中心孔５１を挟んで互いに対向する位置に配置されている。位置決め凹部５３は、ベース部材２の後述する位置決めリブ２６（図７を参照）と係合されて、ベース部材２に対して基板５を中心孔５１の周方向に位置決めする機能を果たす。一対の逃げ凹部５４，５５は、ベース部材２の後述する一対の包囲リブ２９（図７を参照）に対する干渉を避けるための逃げ部である。
【００２９】
次いで、ベース部材２を説明する。図５は、ベース部材２の斜視図である。図６（ａ）は、ベース部材２の平面図である。図６（ｂ）は、ベース部材２の断面図であり、図６（ａ）のＶＩＢ−ＶＩＢ断面図に相当する。図７は、基板５が取り付けられたベース部材２の斜視図である。
【００３０】
図５〜図７に示すように、ベース部材２は、円筒状の周側壁２１と、円板状の底壁２２と、基板取付用の一対のねじボス部２３と、受けリブ２４，２５と、位置決めリブ２６と、ケーブルグランド取付用のねじボス部２７と、一対のねじ挿通孔形成予定部２８と、一対の包囲リブ２９とを備える。
【００３１】
周側壁２１と底壁２２とで、上方に開放する凹形状が形成されている。前記凹形状の開口端２ｅ（周側壁２１の上端に相当）が、グローブ３の後述する凹形状の開口端３ｅ（図３（ａ）及び図８（ａ）を参照）と連結される。
【００３２】
受けリブ２４，２５及び位置決めリブ２６は、底壁２２の上面２２ａから突出形成されている。受けリブ２４及び位置決めリブ２６は、周側壁２１の内周面２１ａと接続されている。
【００３３】
ねじボス部２３及びねじボス部２７は、底壁２２の上面２２ａから上方へ突出する筒状突起である。ねじボス部２３の内周面には、ねじ２３ａが形成されている。ねじボス部２７の内周面には、ねじ２７ａが形成されている。ねじボス部２３の上端面２３ｂ及びねじボス部２７の上端面２７ｂが、基板５の他方の面５ｂを受ける。また、受けリブ２４，２５が、基板５の他方の面５ｂを受ける。
【００３４】
基板５が、ねじボス部２３，２７及び受けリブ２４，２５によって受けられた状態で、取付ねじ１１（図７参照）が、基板５のねじ挿通孔５２に挿通されてねじボス部２３にねじ込まれることにより、基板５がベース部材２に固定される。
【００３５】
図７に示すように、位置決めリブ２６は、組立時において基板５の対応する位置決め凹部５３と係合することにより、基板５をベース部材２に対して中心孔５１の周方向に位置決めする機能を果たす。
【００３６】
図６（ａ），（ｂ）に示されるねじボス部２７とねじ挿通孔形成予定部２８とは、ベース部材２を取付対象に取り付けるときに用いられる。
【００３７】
具体的には、例えば取付対象として、機械設備のフレームが用いられる場合には、ねじ挿通孔形成予定部２８に、ねじ挿通孔（図示せず）が形成され、形成されたねじ挿通孔に挿通された取付ねじ（図示せず）を用いて、ベース部材２が、機械設備のフレームに対して、ねじ締結される。その際、ねじボス部２７には、ケーブルグランド（図示せず）が取付けられ、外部配線は、ケーブルグランドを介して筐体Ｋ内に導かれる。
【００３８】
ねじ挿通孔形成予定部２８におけるねじ挿通孔の形成は、抜き打ちポンチまたはドリルなどの工具を用いて行われる。ねじ挿通孔形成予定部２８には、非貫通の小径のセンタ孔２８ａが設けられている。センタ孔２８ａによって、抜き打ちポンチまたはドリルの位置決めを行うことができ、作業性が向上する。
【００３９】
包囲リブ２９は、周側壁２１の一部とともにねじ挿通孔形成予定部２８を包囲する。包囲リブ２９は、平面視でＵ字状に形成されている。包囲リブ２９の一対の端部が、周側壁２１の内周面２１ａと接続されている。包囲リブ２９の内部空間は、ねじ挿通孔形成予定部２８にねじ挿通孔を形成するときに、工具（抜き打ちポンチまたはドリル）の作業空間となる。このため、作業性が向上する。
【００４０】
図６（ｂ）に示すように、ベース部材２の上側の開口端２ｅには、第１内嵌部４１と、第２内嵌部４２とが設けられている。第１内嵌部４１は、第２内嵌部４２よりも光軸方向Ｌの下側に配置されている。ベース部材２の第１内嵌部４１は、周側壁２１において第１内嵌部４１よりも下方の部分よりも縮径されている。第２内嵌部４２は、第１内嵌部４１よりも縮径されている。ベース部材２の第１内嵌部４１及び第２内嵌部４２は、グローブ３の後述する第１外嵌部３５及び第２外嵌部３６と嵌合される。
【００４１】
ベース部材２の第１内嵌部４１には、外周溝４１ａが形成されている。外周溝４１ａには、ベース部材２とグローブ３との間をシールするＯリング等のシール部材１２が収容される。ベース部材２の第２内嵌部４２には、径方向外向きの複数の係止突起４２ａが形成されている。複数の係止突起４２ａは、周方向に等間隔離隔して配置される。
【００４２】
次いで、グローブ３を説明する。図８（ａ）は、グローブ３の断面図であり、図８（ｂ）は、グローブ３の底面図である。図８（ａ）は、図８（ｂ）のＶＩＩＩＡ−ＶＩＩＩＡ断面図に相当する。
【００４３】
図８（ａ）に示すように、グローブ３は、周側壁３１と天壁３２とを含む。周側壁３１は、天壁３２側に向かって徐々に縮径されている。天壁３２は、ドーム状に形成されている。
【００４４】
グローブ３は、周側壁３１と天壁３２とで凹形状を形成している。前記凹形状の開口端３ｅ（周側壁３１の下端３１ａに相当）が、ベース部材２の開口端２ｅと連結される。グローブ３の下側の開口端３ｅには、第１外嵌部３５と、第２外嵌部３６とが設けられている。第１外嵌部３５は、第２外嵌部３６よりも光軸方向Ｌの下側に配置されている。
【００４５】
図３（ａ）に示すように、グローブ３の第１外嵌部３５が、ベース部材２の第１内嵌部４１の外側に嵌合され、且つグローブ３の第２外嵌部３６が、ベース部材２の第２内嵌部４２の外側に嵌合されることにより、ベース部材２とグローブ３とが互いに連結されている。第１外嵌部３５とベース部材２の第１内嵌部４１との間が、ベース部材２の第１内嵌部４１の外周溝４１ａに収容されたシール部材１２によって、シールされる。
【００４６】
図８（ａ）に示すように、グローブ３は、面要素として、外周側面３ａ（周側壁３１の外周側面に相当）と、内周側面３ｂ（周側壁３１の外周側面に相当）と、外上面３ｃ（天壁３２の外面に相当）と、内上面３ｄ（天壁３２の内面に相当）とを含む。グローブ３の内周側面３ｂには、反射部材６から反射された光が照射される被照射部としてのレンズカット部３４が形成されている。レンズカット部３４は、上下方向に延び、グローブ３の周方向Ｃに等間隔に配置された断面半円状の多数の縦リブ３４ａを含む。
【００４７】
第２外嵌部３６には、第１外嵌部３５から上方へ延びる案内溝３７と、案内溝３７の上端から周方向Ｃの一方側Ｃ１に延びる係止溝３８が形成されている。
【００４８】
周方向Ｃの一方側Ｃ１が、ベース部材２に対するグローブ３の締付方向の反対方向に相当する。ベース部材２に対してグローブ３を組み付ける際には、ベース部材２の係止突起４２ａとグローブ３の案内溝３７とを周方向Ｃに位置合わせした状態で、ベース部材２とグローブ３とを上下方向に相対変位させる。これにより、係止突起４２ａが案内溝３７に挿入される。
【００４９】
その後、ベース部材２に対してグローブ３を周方向Ｃの他方側Ｃ２（締付方向）へ回転させる。これにより、ベース部材２の係止突起４２ａが、係止溝３８に嵌め込まれて係止される。これにより、ベース部材２とグローブ３とのロックが達成される。
【００５０】
グローブ３の内周側面３ｂにおいて、係止溝３８の上方に、第１ユニットＵ１を支持するための支持部Ｑが配置されている。支持部Ｑには、連結機構８の一部である係止部としての係止凹部８０が形成されている。
【００５１】
また、グローブ３の内周側面３ｂにおいて、係止凹部８０の下方に隣接して、案内突起３９が形成されている。案内突起３９は、グローブ３に対して第１ユニットＵ１を組み付けるときに、連結機構８の一部である弾性爪７０が係止凹部８０に係止されるように案内する。
【００５２】
次いで、反射部材６を兼用する導光部材６０と支持部材７と連結機構８の一部（弾性爪７０）とを含む第１ユニットＵ１を説明する。図９は、第１ユニットＵ１の斜視図である。図１０（ａ）は、第１ユニットＵ１の平面図である。図１０（ｂ）は、第１ユニットＵ１の断面図であり、図１０（ａ）のＸＢ−ＸＢ断面図に相当する。図１１は、グローブ３と第１ユニットＵ１とを含む第２ユニットＵ２の斜視断面図である。
【００５３】
図９及び図１０（ｂ）に示すように、支持部材７は、導光部材６０の光軸方向Ｌにおけるベース部材２側の端部６０ｅからグローブ３の内周側面３ｂ側（図１１を参照）に延びている。
【００５４】
支持部材７は、円板状の部材であり、導光部材６０側の第１面７ａと、ベース部材２側の第２面７ｂと、グローブ３の内周側面３ｂと対向する外側縁７ｃとを含む。支持部材７は、支持部材７の第１面７ａの中心部が導光部材６０と連結された状態で、導光部材６０を支持している。
【００５５】
支持部材７は、集光要素を含む。具体的には、集光要素は、図１０（ｂ）及び図１１に示すように、導光部材６０側の面が平坦面であり、発光素子４側に凸面を向けた凸レンズ７ｄである。集光要素としての凸レンズ７ｄは、発光素子４から照射される光の発散を抑制する。具体的には、凸レンズ７ｄは、発光素子４からの光が、グローブ３の内周側面３ｂに対して直接照射されないように光の拡散を抑制している。
【００５６】
図１０（ｂ）に示すように、反射部材６を兼ねる導光部材６０は、光軸方向Ｌに対して平行な中心軸Ｐ１を有し、支持部材７側に向かって縮径された筒状の部材である。導光部材６０の中心軸Ｐ１は、支持部材７の中心軸Ｐ２と一致する。導光部材６０は、外周面６０ａと，内周面６０ｂと、開放端部６０ｃと、閉塞端部である前記端部６０ｅと、複数の光入射面６１と、複数の光出射面６２と、内部反射面６３とを含む。
【００５７】
図１１に示すように、導光部材６０の開放端部６０ｃの端面である上端面６０ｄと、グローブ３の内上面３ｄとの間には、光軸方向Ｌに隙間量Ｓ１を有する隙間Ｓが形成されている。
【００５８】
図３（ａ）及び図１０（ｂ）に示すように、光入射面６１は、発光素子４に対して凸レンズ７ｄを介して対向する。光出射面６２は、グローブ３の内周側面３ｂに対して対向する。光入射面６１と光出射面６２とは、導光部材６０の外周面６０ａにおいて光軸方向Ｌに交互に階段状に配置されている。
【００５９】
内部反射面６３は、導光部材６０の内周面６０ｂの少なくとも一部の背面を構成している。内部反射面６３は、光入射面６１から入射された光を光出射面６２に向けて全反射する。
【００６０】
内部反射面６３は、発光素子４が焦点に配置された放物線が導光部材６０の中心軸Ｐ１を中心として回転された回転放物面を含む。
【００６１】
複数の光入射面６１は、発光素子４から  凸レンズ７ｄ（集光要素）を介する光を光軸方向Ｌに平行な方向に近づけるように屈折させて入射させる屈折面（光学屈折要素）を含む。具体的には、複数の光入射面６１は、凸レンズ７ｄの光軸に対して直交する水平面（基準面）に対する傾斜角（カット角）が、下方側の光入射面６１ほど大きく、上方側の光入射面６１ほど小さくなるような屈折面を含む。
【００６２】
前記屈折面を含む光入射面６１によって、内部反射面６３である回転放物面からの反射光を外側方への平行光により近づけることができる。また、光入射面６１の前記屈折面（光学屈折要素）は、凹レンズであってもよい。
【００６３】
複数の光出射面６２は、内部反射面６３からの光を所定の方向に向けて偏向するように屈折させて出射させる屈折面（光学屈折要素）を含む。具体的には、光軸方向Ｌの中央部よりも下方側（ベース部材２側）に配置される光出射面６２は、光軸方向Ｌに対して上向きに傾斜された屈折面を含む。光軸方向Ｌの中央部よりも下方側（ベース部材２側）に配置される光出射面６２において、下方側の光出射面６２ほど、光軸方向Ｌに対する傾斜角（カット角）が大きくされている。
【００６４】
また、光軸方向Ｌの中央部よりも上方側に配置される光出射面６２は、下向きに傾斜されてた屈折面を含む。光軸方向Ｌの中央部よりも上方側に配置される光出射面６２は、上方側の光出射面６２ほど、光軸方向Ｌに対する傾斜角（カット角）が大きくされている。なお、光軸方向Ｌの中央部に配置される光出射面６２は、光軸方向Ｌに沿う。
【００６５】
前記屈折面を含む光出射面６２によって、グローブ３の内周側面３ｂにおける光軸方向Ｌの中央部に向けて偏向させる。これにより、グローブ３の光軸方向Ｌの中央部をより明るくすることができ、表示灯１としての視認性を向上する。
【００６６】
次いで、図３（ｂ）、図８（ａ）及び図９〜図１５を参照して、連結機構８を説明する。図１２は、連結機構８の弾性爪の要部の概略斜視図である。図１３は、連結機構８の周辺の構造の拡大斜視断面図であり、図１１の一部を拡大した図に相当する。
【００６７】
図３（ｂ）及び図１１に示すように、連結機構８は、支持部材７の外側縁７ｃからグローブ３の内周側面３ｂに向けて延設された弾性爪７０と、グローブ３の内周側面３ｂに配置された支持部Ｑに設けられた係止部としての係止凹部８０とを含む。
【００６８】
図８（ａ）に示すように、グローブ３の支持部Ｑは、グローブ３の内周側面３ｂにおいて、被照射部であるレンズカット部３４よりも光軸方向Ｌにおけるベース部材２側に配置されている。また、支持部Ｑは、支持部材７の外側縁７ｃよりも光軸方向Ｌにおけるベース部材２側に配置されている。また、支持部Ｑ及び案内突起３９は、グローブ３の第２外嵌部３６よりも天壁３２側に配置されている。
【００６９】
図３（ｂ）、図９及び図１０（ａ）に示すように、弾性爪７０は、基端部７１と、延設端部７２と、傾斜部７３とを含む。基端部７１は、支持部材７の外側縁７ｃに連結されている。延設端部７２は、基端部７１とは反対側に配置されている。延設端部７２は、基端部７１よりも支持部材７の径方向外側に配置されている。延設端部７２は、グローブ３の係止凹部８０に係止される。
【００７０】
図１１に示すように、延設端部７２は、上面７２ａと、下面７２ｂと、一対の側面７２ｃ，７２ｄと、延設端面７２ｅとを含む。上面７２ａ及び下面７２ｂは、光軸方向Ｌと直交する平面である。一対の側面７２ｄ，７２ｄは、互いに周方向Ｃの反対側に配置され、上面７２ａと下面７２ｂとを接続している。延設端面７２ｅは、光軸方向Ｌに対して傾斜され、光軸方向Ｌの導光部材６０側に向く傾斜面からなる。
【００７１】
図１０（ｂ）及び図１３に示すように、傾斜部７３は、光軸方向Ｌに対して傾斜しており、基端部７１と延設端部７２とを接続している。傾斜部７３には、例えば貫通孔からなる肉抜き部が形成されている。
【００７２】
図１４は、係止凹部８０の周辺の構造の概略図である。図１４に示すように、係止凹部８０の内面は、光軸方向Ｌの天壁３２側に向く第１面８１と、光軸方向Ｌの開口端３ｅ側に向く第２面８２と、周方向Ｃに対向する第３面８３と第４面８４と、光軸方向Ｌに対して下向きに傾斜する底面である第５面８５とを含む。案内突起３９は、上面３９ａと、下面３９ｂと、一対の案内面３９ｃ，３９ｄとを含む。
【００７３】
係止凹部８０の第１面８１は、案内突起３９の上面３９ａに設けられた凹部により形成されている。一対の案内面３９ｃ，３９ｄは、案内突起３９の下面３９ｂの周方向Ｃの両側に配置され、互いに周方向Ｃに対向する。一対の案内面３９ｃ，３９ｄは、光軸方向Ｌに対して互いに逆向きに傾斜する。
【００７４】
第１ユニットＵ１をグローブ３に組み付けるときには、グローブ３内に収容されて、仮位置決めされた第１ユニットＵ１を光軸方向Ｌの天壁３２側へ押すと、弾性爪７０の延設端部７２の一対の側面７２ｃ，７２ｄ（図１１を参照）が、案内突起３９の一対の案内面３９ｃ，３９ｄ（図１４を参照）によって案内されることにより、弾性爪７０の延設端部７２が、係止凹部８０と同じ周方向Ｃの位置に位置決めされる。
【００７５】
この状態で、第１ユニットＵ１を光軸方向Ｌの天壁３２側へさらに押すと、図１５（ａ）に示すように、弾性爪７０は、延設端部７２の傾斜状の延設端面７２ｅが案内突起３９から受ける斜め下向きの反力Ｆによって、弾性的に撓まされる。
【００７６】
次いで、図１５（ｂ）に示すように、弾性爪７０の延設端部７２の傾斜状の延設端面７２ｅが案内突起３９を乗り越えて、延設端部７２が、係止凹部８０内に挿入される。このとき、弾性爪７０の傾斜状の延設端面７２ｅが、係止凹部８０の底面である第５面８５に沿うとともに、第５面８５を弾性的に押圧する。このため、延設端面７２ｅが第５面８５から受ける斜め下向きの反力Ｇによって、弾性爪７０の延設端部７２の下面７２ｂが、係止凹部８０の内下面である第１面８１に沿うように押圧される。
【００７７】
したがって、連結機構８によって、第１ユニットＵ１が、グローブ３に対して光軸方向Ｌに精度良く位置決めされるとともに、位置決めの保持力を高くすることができる。
【００７８】
また、このように、第１ユニットＵ１が光軸方向Ｌに精度良く位置決めされた状態で、第１ユニットＵ１の導光部材６０の上端面６０ｄとグローブ３の内上面３ｄの対向する部分との間に、僅かな隙間Ｓが形成されるように構成されている。このため、樹脂成形されるグローブ３や第１ユニットＵ１において、過度な寸法精度が要求されない。このため、製造コストを安くすることができる。
【００７９】
なお、表示灯１が何らかの衝撃等を受けた場合には、隙間Ｓが消失されて第１ユニットＵ１の導光部材６０の上端面６０ｄとグローブ３の内上面３ｄの対向する部分とが当接することにより、第１ユニットＵ１の移動が規制される。
【００８０】
図１４に示される係止凹部８０の第３面８３及び第４面８４は、弾性爪７０の延設端部７２の対応する側面７２ｃ，７２ｄと当接することにより、グローブ３に対して、弾性爪７０を周方向Ｃに位置決めする。
【００８１】
本実施の形態では、下記の効果を奏する。すなわち、弾性爪７０と係止凹部８０とを含む連結機構８によって、支持部材７を介して反射部材６がグローブ３に取り付けられる。連結機構８は、反射部材６よりも光軸方向Ｌにおけるベース部材２側に配置される支持部材７の外側縁７ｃを、グローブ３の内周側面３ｂに配置される支持部Ｑに連結する。このため、図３（ｂ）に示すように、連結機構８が、発光素子４から反射部材６を介してグローブ３の内周側面３ｂに至る光路Ｍの邪魔をすることを抑制することができる。このため、明るい表示を行うことができる。
【００８２】
特に、グローブ３の支持部Ｑが、支持部材７の外側縁７ｃよりも光軸方向Ｌにおけるベース部材２側に配置されている。このため、連結機構８が、発光素子４から反射部材６を介してグローブ３の内周側面３ｂに至る光路Ｍの邪魔をすることがない。このため、明るい表示を行うことができる。
【００８３】
また、弾性爪７０が、基端部７１と延設端部７２とを接続し光軸方向Ｌに対して傾斜した傾斜部７３を含む。このため、弾性爪７０が、光軸方向Ｌに対する傾斜部７３の傾斜角度を変更するように弾性変形することにより、反射部材６及び支持部材７にかかる衝撃を緩和することができる。このため、反射部材６を安定して支持することができる。また、弾性爪７０に傾斜部７３を設けているため、グローブ３を大径化することなく、弾性爪７０に十分な量の弾性変形量を確保することができる。
【００８４】
また、グローブ３の内周側面３ｂにおいて、支持部Ｑが、光出射面６２からの光が照射される被照射部としてのレンズカット部３４よりも光軸方向Ｌにおけるベース部材２側に配置されている。このため、透光性のグローブ３の内周側面３ｂの支持部Ｑが、グローブ３の外観の美観を損ねることがない。
【００８５】
また、支持部材７が、集光要素（凸レンズ７ｄ）を含む。このため、発光素子４からの光が、集光要素によって光の拡散を抑制された状態で、反射部材６として機能する導光部材６０に集められる。このため、表示灯１として発光素子４からの光を有効に利用することができる。
【００８６】
また、図１０（ｂ）に示すように、反射部材６を兼用する導光部材６０が、発光素子４の光軸方向Ｌに対して平行な中心軸Ｐ１を有し支持部材７側に向かって縮径された先細り筒状の部材であり、複数の光入射面６１と、複数の光出射面６２と、内部反射面６３とを含む。光入射面６１と光出射面６２とが、導光部材６０の外周面６０ａに光軸方向Ｌに交互に階段状に配置されている。
【００８７】
このため、導光部材６０に単一の光入射面と単一の光出射面とが設けられる場合と比較して、導光部材６０の肉厚を薄くでき、且つ導光部材６０の部位の相違による肉厚差を少なくすることができる。このため、導光部材６０が、軽量化されて振動の影響を受け難くすることができ、また、導光部材６０の成形性を向上することができる。
【００８８】
また、導光部材６０と支持部材７と弾性爪７０とが、単一の材料で一体に形成されていている。このため、組立時において、第１ユニットＵ１としてユニット化された導光部材６０と支持部材７と弾性爪７０とが、グローブ３に一体に取り付けられる。グローブ３に対する第１ユニットＵ１の取り付けに際して、弾性爪７０を弾性変形させることにより、弾性爪７０を係止凹部８０に容易に係止させることができ、組立性が向上する。
（第２実施形態）
図１６は、本発明の第２実施形態に係る表示灯において、連結機構８Ｔの周辺の構造の概略断面図である。
【００８９】
図１６に示すように、連結機構８Ｔは、グローブ３の内周側面３ｂに配置された支持部Ｑから延設された弾性爪７０Ｔと、第１ユニットＵ１の支持部材７の外側縁７ｃに形成された係止部としての係止凹部８０Ｔとを含む。支持部Ｑは、支持部材７の外側縁７ｃよりも光軸方向Ｌのベース部材２側（下側）に配置されている。
【００９０】
弾性爪７０Ｔは、基端部７１Ｔと、延設端部７２Ｔと、傾斜部７３Ｔとを含む。基端部７１Ｔは、支持部Ｑに連結されている。延設端部７２Ｔは、係止凹部８０Ｔに係止されている。傾斜部７３Ｔは、光軸方向Ｌに対して傾斜し、基端部７１Ｔと延設端部７２Ｔとを接続している。
【００９１】
延設端部７２Ｔの延設端面７２Ｔｅは、下向きに傾斜されている。また、係止凹部８０Ｔの底面である第５面８５Ｔは、上向きに傾斜されている。延設端面７２Ｔｅが、係止凹部８０Ｔの第５面８５Ｔ（底面）に沿うとともに弾性的に押圧する。このため、延設端部７２Ｔの上面７２Ｔａが係止凹部８０Ｔの内上面である第２面８２Ｔに押圧される。したがって、第１ユニットＵ１が、グローブ３に対して光軸方向Ｌに精度良く位置決めされるとともに、位置決めの保持力を高くすることができる。
【００９２】
本実施形態においても、連結機構８Ｔが、発光素子４から反射部材６を介してグローブ３の内周側面３ｂに至る光路Ｍの邪魔をすることを抑制することができる。このため、明るい表示を行うことができる。
【００９３】
また、傾斜部７３Ｔを有する弾性爪７０Ｔの弾性変形によって、反射部材６を含むユニットＵ１にかかる衝撃を緩和することができ、反射部材６を安定して支持することができる。また、弾性爪７０Ｔに傾斜部７３Ｔを設けているため、グローブ３を大径化することなく、弾性爪７０Ｔに十分な量の弾性変形量を確保することができる。
【００９４】
本発明は前記実施形態に限定されるものではない。例えば、図示していないが、支持部Ｑは、被照射部としてのレンズカット部３４よりも光軸方向Ｌのベース部材２側であれば、支持部材７の外側方に配置されていてもよい。要は、連結機構８；８Ｔが、光路Ｍの邪魔をすることが抑制されればよい。
【００９５】
また、基板５に唯一の位置決め凹部５３を設け、ベース部材２に唯一の位置決めリブ２６を設けるようにしてもよい。これにより、図４に示すように、基板５の一対のねじ挿通孔５２が、中心孔５１の中心に対して非対称な位置に配置されている場合において、基板５の誤組み付けを防止することができる。このため、組立の作業性が向上する。
【００９６】
以上、本発明を具体的な態様により詳細に説明したが、上記の内容を理解した当業者は、その変更、改変及び均等物を容易に考えられるであろう。したがって、本発明はクレームの範囲とその均等の範囲とするべきである。
【符号の説明】
【００９７】
１…表示灯
２…ベース部材
２ｅ…開口端
３…グローブ
３ｂ…内周側面
３ｅ…開口端
４…発光素子
５…基板
５ａ…一方の面
５ｂ…他方の面
６…反射部材
７；７Ｔ…支持部材
７ａ…第１面
７ｂ…第２面
７ｃ…外側縁
７ｄ…凸レンズ（集光要素）
８；８Ｔ…連結機構
２１…周側壁
２２…天壁
３１…周側壁
３２…天壁
３４…レンズカット部（被照射部）
３５…第１外嵌部
３６…第２外嵌部
４１…第１内嵌部
４２…第２内嵌部
６０…導光部材
６０ａ…外周面
６０ｂ…内周面
６１…光入射面
６２…光出射面
６３…内部反射面
７０；７０Ｔ…弾性爪
７１；７１Ｔ…基端部
７２；７２Ｔ…延設端部
７３；７３Ｔ…傾斜部
８０；８０Ｔ…係止凹部（係止部）
Ｌ…光軸方向
Ｍ…光路
Ｐ１…中心軸
Ｑ…支持部
Ｕ１…第１ユニット
Ｕ２…第２ユニット
【図１】
0006823822.tif 000002
【図２】
0006823822.tif 000003
【図３】
0006823822.tif 000004
【図４】
0006823822.tif 000005
【図５】
0006823822.tif 000006
【図６】
0006823822.tif 000007
【図７】
0006823822.tif 000008
【図８】
0006823822.tif 000009
【図９】
0006823822.tif 000010
【図１０】
0006823822.tif 000011
【図１１】
0006823822.tif 000012
【図１２】
0006823822.tif 000013
【図１３】
0006823822.tif 000014
【図１４】
0006823822.tif 000015
【図１５】
0006823822.tif 000016
【図１６】
0006823822.tif 000017